(57)【要約】【課題】持ち運びができて、簡単な設置や操作で、被写体を動画として撮影しながら配信できる配信装置を提供する。【解決手段】配信装置１１は、撮影部１２と、送信部３１と、送信先設定部３３と、制御部３５と、第１モニタ４１と、第２モニタ４３と、電源ユニット５１と、送信部３１と送信先設定部３３と制御部３５と第１モニタ４１と第２モニタ４３と電源ユニット５１とを収容する収容部２１と、を備える。収容部２１は、一面が開放した箱状の収容部本体と、ヒンジによって収容部本体の開放した一面を開閉自在にする蓋とを有し、第１モニタ４１と第２モニタ４３とは、蓋の内壁に各表示部が露呈した状態となるように設けられている。【選択図】図２
0003231758.tif 000002
【実用新案登録請求の範囲】
【請求項１】
撮影部と、
前記撮影部で撮影された撮影画像の画像データを配信データにエンコードして、設定された送信先へ送信する送信部と、
前記送信先を設定する送信先設定部と、
前記送信先から取得した前記配信データの配信状態を示す状態画像を生成する状態画像生成部と、
前記撮影画像を表示する第１モニタと、
前記状態画像を表示する第２モニタと、
前記撮影部と、前記送信部と、前記送信先設定部と、前記状態画像生成部と、前記第１モニタと、前記第２モニタとに電力を供給する電源ユニットと、
前記送信部と、前記送信先設定部と、前記状態画像生成部と、前記第１モニタと、前記第２モニタと、前記電源ユニットとを収容する収容部と、
を備え、
前記収容部は、一面が開放した箱状の収容部本体と、前記収容部本体に設けられ、開放した一面をヒンジによって開閉自在にする蓋とを有し、
前記第１モニタと前記第２モニタとは、開状態とした前記蓋の内壁に各表示部が露呈した状態となるように設けられている配信装置。
【請求項２】
前記撮影部は、前記送信部と第１ケーブルにより接続され、かつ、前記電源ユニットと第２ケーブルにより接続される請求項１に記載の配信装置。
【請求項３】
前記第１ケーブルは、ブースタを介して前記撮影部と前記送信部とを接続する請求項２に記載の配信装置。
【請求項４】
前記送信部は、ハードウェアエンコーダによりエンコードする請求項１ないし３のいずれか１項に記載の配信装置。
【請求項５】
前記撮影部は、電圧を変換する変換器を介して前記電源ユニットと接続する降圧器を有する請求項１ないし４のいずれか１項に記載の配信装置。
【請求項６】
前記配信データの音データを取得して音として出力するヘッドホンとイヤホンとの少なくともいずれか一方と、
前記送信先設定部と前記状態画像生成部とを操作する操作部と、
を備え、
前記ヘッドホンと前記イヤホンとの少なくともいずれか一方と、前記操作部とが前記収容部に収容される請求項１ないし５のいずれか１項に記載の配信装置。
【考案の詳細な説明】
【技術分野】
【０００１】
本考案は、動画を配信する配信装置に関する。
【背景技術】
【０００２】
被写体を動画として撮影しながらネットワークを介して配信を行う際、撮影用の機材と配信用の機材とを用意して、必要な接続及び設定を行い、必要な操作を行う。
【０００３】
比較的簡易な方法としては、ひとつのノート型パソコンを用いる方法である。具体的には、ノート型パソコン内蔵のカメラや設置したウェブカメラで被写体を動画として撮影しながら、ノート型パソコンにインストールされたストリーミング・レコーディングソフトウェアを用いて、動画を配信する。昨今、フリー・オープンソースソフトウェアの「ＯＢＳ Ｓｔｕｄｉｏ」が広く普及しており、このソフトウェアでは、リアルタイムで録画・エンコード・データの配信が行える。サーバと、動画を再生するためのプレーヤとの間のデータのやり取りには、「Ｒｅａｌ Ｔｉｍｅ Ｍｅｓｓａｇｉｎｇ Ｐｒｏｔｏｃｏｌ（ＲＴＭＰ）」が用いられており、世界最大の動画共有サービスＹｏｕＴｕｂｅ（登録商標）などの動画配信共有サービスで、動画を比較的簡易かつ低コストで配信できる。
【０００４】
ところで、被写体を動画として撮影しながらネットワークを介して配信を行う手法として、配信装置を用いた種々の手法が有る。例えば、特許文献１には、デジタルカメラとエンコーダとアクセスポイントと携帯型ＰＣとサーバから構成されている配信装置を用いた配信方法が記載されている。この方法では、デジタルカメラから撮像信号がエンコーダへ供給され、エンコーダでは、供給された撮像信号がストリーミング配信用のストリームデータに変換され、圧縮される。ストリームデータは、伝送路を経由してアクセスポイントへ供給され、アクセスポイントへ送信されたストリーミング配信用のストリームデータは携帯型ＰＣへ供給される。携帯型ＰＣでライブ配信用のストリームデータが生成されてサーバへ供給され、ネットワーク上の複数の閲覧者に対してストリーミングによってストリームデータが配信される。
【先行技術文献】
【特許文献】
【０００５】
【特許文献１】特開２００３−３２４６９８号公報
【考案の概要】
【考案が解決しようとする課題】
【０００６】
上記のように、ストリーミング専用のソフトウェアを使って、被写体を動画として撮影しながらネットワークを介して配信を行うには、当該ソフトウェアを使いこなすための専門知識が必要である。また、複数の機材を使用して被写体を動画として撮影しながらネットワークを介して配信を行うには、それぞれの機材の設置・接続方法や設定方法についての専門知識が必要である。さらに、複数の撮影機材及び配信機材を持ち運んで自分の好きな場所からの動画の撮影及び配信を簡単に行うことは難しい。
【０００７】
そこで、本考案は、持ち運びができて、簡単な設置及び設定操作で、被写体を動画として撮影しながら配信できる配信装置を提供することを目的とする。
【課題を解決するための手段】
【０００８】
本考案の配信装置は、撮影部と、撮影部で撮影された撮影画像の画像データを配信データにエンコードして、設定された送信先へ送信する送信部と、送信先を設定する送信先設定部と、送信先から取得した配信データの配信状態を示す状態画像を生成する状態画像生成部とを備える。さらに、撮影画像を表示する第１モニタと、状態画像を表示する第２モニタとを備え、撮影部と、送信部と、送信先設定部と、状態画像生成部と、第１モニタと、第２モニタとに電力を供給する電源ユニットとを備える。送信部と、送信先設定部と、状態画像生成部と、第１モニタと、第２モニタと、電源ユニットとは収容部に収容され、収容部は、一面が開放した箱状の収容部本体と、収容部本体に設けられ、開放した一面をヒンジによって開閉自在にする蓋とを有する。第１モニタと第２モニタとは、開状態とした蓋の内壁に各表示部が露呈した状態となるように設けられている。
【０００９】
撮影部は、送信部と第１ケーブルにより接続され、かつ、電源ユニットと第２ケーブルにより接続されることが好ましい。
【００１０】
第１ケーブルは、ブースタを介して撮影部と送信部とを接続することが好ましい。
【００１１】
送信部は、ハードウェアエンコーダによりエンコードすることが好ましい。
【００１２】
撮影部は、電圧を変換する変換器を介して前記電源ユニットと接続する降圧器を有することが好ましい。
【００１３】
配信データの音データを取得して音として出力するヘッドホンとイヤホンとの少なくともいずれか一方と、送信先設定部と状態画像生成部とを操作する操作部と、を備え、ヘッドホンとイヤホンとの少なくともいずれか一方と、操作部とが収容部に収容されることが好ましい。
【考案の効果】
【００１４】
本考案によれば、持ち運びができて、簡単な設置や操作で被写体を動画として撮影しながら配信できる。
【図面の簡単な説明】
【００１５】
【図１】本考案の一実施形態である配信装置の使用態様例の説明図である。
【図２】本考案の一実施形態である配信装置を示すブロック図である。
【図３】開状態の収容部の概要を示す斜視図である。
【図４】第１モニタに表示される撮影画像の実施形態である概略図である。
【図５】第２モニタに表示される状態画像の実施形態である概略図である。
【図６】第２モニタに表示される操作画像の実施形態である概略図である。
【考案を実施するための形態】
【００１６】
以下、本考案の一実施形態について、図面を参照して説明する。本考案の概念的な構成の一実施形態を、図１を参照して説明する。この図１に示す配信装置１１は、被写体を撮影した動画を配信（例えば、ストリーミング配信）するためのものである。配信装置１１は、撮影部１２と、収容部２１と、収容部２１に収容された各種の機器から構成される。収容部２１には、送信部３１、送信先設定部３３、状態画像生成部としての制御部３５、第１モニタ４１、第２モニタ４３及び電源ユニット５１（いずれも図２参照）が収容されている。収容部２１の詳細については、後述する。
【００１７】
図１において、撮影部１２では、被写体を動画として撮影した撮影画像Ｇａ（図４参照）の画像データを収容部２１に収容されている送信部に供給（出力）する。送信部は、撮影画像Ｇａの画像データを配信データにエンコードして、ネットワーク６１を介して、収容部２１に収容されている送信先設定部の設定に基づいて、サーバ６３に配信データを送信する。クライアント端末７１は、ネットワーク６１を介してサーバ６３にアクセスし、サーバ６３からネットワーク６１を介して配信データを取得する。このように配信装置１１は、クライアント端末７１に動画の配信を行う。なお、図１においては収容部２１を閉じた状態で描いてあるが、使用時においては、収容部２１を開いた状態にする。収容部２１の開いた状態については、別の図面を用いて後述する。図１においては、図の煩雑化を避けるために、撮影部１２とクライアント端末７１とをそれぞれひとつずつのみ描いているが、撮影部１２とクライアント端末７１との少なくとも一方は、複数であってもよい。
【００１８】
図２において、配信装置１１は、撮影部１２と、送信部３１と、送信先設定部３３と、状態画像生成部の一例である制御部３５と、第１モニタ４１と、第２モニタ４３と、電源ユニット５１とを備える。配信装置１１は、さらに、操作部８１と、リスニング機器８３と、ブースタ９３と、変換器９５と、降圧器９７とを備えることが好ましく、本例でもこれらをすべて備える。なお、制御部３５は、送信先から取得した配信データの配信状態を示す状態画像Ｇ２（図５参照）を生成する状態画像生成部として機能する。
【００１９】
撮影部１２は被写体を撮影する。送信部３１は、撮影部１２で撮影された撮影画像Ｇａ（図４参照）を配信データにエンコードして、送信先設定部３３により設定された送信先へ配信データを送信する。第１モニタ４１は、撮影部１２で撮影された撮影画像Ｇａを表示する。第２モニタ４３は、状態画像生成部として機能する制御部３５により生成された、送信先から取得した配信データの配信状態を示す状態画像Ｇ２（図５参照）を表示する。制御部３５は、状態画像生成部としての機能に加えて、例えば、配信データの削除・編集などを管理する配信データ管理部、配信データの配信日時を予約する配信予約部、配信データの撮影画像Ｇａや画面の配置を選択する配信データ選択部としての機能を備えていてもよく、本例でもそのようにしている。電源ユニット５１は、撮影部１２と送信部３１と送信先設定部３３と制御部３５と第１モニタ４１と第２モニタ４３とに電力を供給する。なお、図２においてはネットワーク６１（図１参照）の図示を略している。
【００２０】
撮影部１２は、動画を撮影するビデオカメラであり、撮影した撮影画像Ｇａ（図４参照）の画像データを、送信部３１に出力する。撮影部１２は、カメラとレンズが一体になっているデジタルカメラであることが初心者にはレンズの選択を迷わずに済むので好ましく、ミラーレス一眼レフカメラやデジタル一眼レフカメラでもよい。また、撮影部１２は複数であってもよく、複数の角度や距離から被写体を動画として撮影できる。これらの撮影部１２は、当然のことながら、三脚を使って設置して撮影するとブレのない安定した撮影できる。この一実施形態では、撮影部１２は、撮影する動画の画質が１９２０ｘ１０８０ピクセル（フルハイビジョン）のデジタルビデオカメラを２台用いる。４Ｋ画質対応のデジタルビデオカメラで、４Ｋ画質を選択してもよいが、視聴する際に、フルハイビジョンの画質でも十分に高画質で観ることができ、また、データの容量が４Ｋ画質と比べて小さいため、配信スピードも速い。
【００２１】
撮影部１２は、日付やその他の情報の表示を表示しないようにできる機能があることが好ましい。仮に、撮影部１２が、撮影部１２の表示画面に映っている映像を出力するタイプのものであっても、動画配信の際に、日付やその他の情報の表示を消すことができる。撮影部１２は、スルー出力の仕様のものであるとさらによい。この撮影部１２がスルー出力の仕様のものであれば、動画をそのまま出力できるため、動画配信をしながら、別途モニタ（図示しない）に撮影部１２をＨＤＭＩ（Ｈｉｇｈ−Ｄｅｆｉｎｉｔｉｏｎ  Ｍｕｌｔｉｍｅｄｉａ  Ｉｎｔｅｒｆａｃｅ、登録商標）ケーブルを接続することで、このモニタ（図示しない）でも配信される動画を視聴することができる。これにより、撮影場所のすぐ近くにいる人も撮影場所にいない人も概ね同時に同じ映像を視聴することができる。
【００２２】
送信部３１は、撮影部１２から供給（入力）された撮影画像Ｇａ（図４参照）の画像データを配信データに変換、圧縮する。これがすなわち「エンコード」であり、送信部３１は、エンコードにより生成した配信データを、送信先設定部３３の設定に基づいて、サーバ６３に送信する。この一実施形態では、送信部３１は、ハードウェアエンコーダ（図示無し）を有し、このハードウェアエンコーダによるエンコードを行っている。ハードウェアエンコーダは、ソフトウェアによるエンコードよりも変換速度が速く、安定して確実に配信データへのエンコードができるため、撮影しながら安定したストリーミング配信をすることができる。この一実施形態では、送信部３１に、株式会社アイ・オー・データ機器製の「ＧＶ−ＬＳＢＯＸ（型番）」を用いているが、これに限られない。なお、撮影部１２では、撮影画像Ｇａのみならず、音も併せて撮影することが可能であり、送信部３１に、撮影部１２から音データを含む撮影画像Ｇａの画像データが供給（入力）された場合には、画像データ及び音データが配信データにエンコードされてサーバ６３に送信される。
【００２３】
撮影部１２と送信部３１とは、第１ケーブル９１により接続されることが好ましい。これにより、撮影画像Ｇａ（図４参照）の画像データ及び音データを無線通信で送受信するよりも、確実に撮影画像Ｇａの画像データ及び音データを供給できる。この一実施形態では、第１ケーブル９１は、ＨＤＭＩ（登録商標）ケーブルを用いているが撮影画像Ｇａの画像データ及び音データを供給できればよく、これに限られない。なお、第１ケーブルとして、光ファイバを用いたケーブルを使用したＨＤＭＩケーブルを用いることで、より安定した撮影画像Ｇａの画像データ及び音データの供給が可能であるため、より好ましい。この一実施形態では、第１ケーブル９１は、ブースタ９３を介して撮影部１２と送信部３１とを接続することとしている。ブースタ９３は、ケーブルを中継して延長するためのアダプタである。ブースタ９３を介して接続することで、比較的安価なＨＤＭＩケーブルであっても長い距離で撮影部１２と送信部３１とを接続することができ、仮に、撮影部１２と送信部３１とを離れた場所に設置しても、撮影部１２で撮影した動画を送信部３１へ供給できる。なお、撮影部１２とブースタ９３との間のケーブル９１ａ及びブースタ９３と送信部３１との間のケーブル９１ｂとを併せて、第１ケーブル９１としている。
【００２４】
送信部３１は、撮影した複数の撮影画像Ｇａ（図４参照）の中から送信する撮影画像Ｇａを選択して送信することや、撮影した複数の撮影画像Ｇａを組合せて一つの画面に配置した撮影画像をサーバ６３に送信することができ、異なる場所から被写体を動画として撮影した複数の動画を切り替えながら、ネットワーク６１を介してサーバ６３に送信することができる。このような切り替えは、例えば、操作部８１における入力操作によって、制御部３５を介してサーバ６３に指示をすることにより、行うことができる。また、送信部３１は、これらの複数の撮影画像Ｇａと撮影画像Ｇａから選択した送信する撮影画像とを一つの表示画像Ｇ１（図４参照）として生成することができる。なお、表示画像Ｇ１は、上記以外の画像を含んでもよい（図４参照）。
【００２５】
送信部３１は、エンコードした配信データを、ネットワーク６１を介してサーバ６３へ送信する。この一実施形態である配信装置１１では、ＬＡＮ（Ｌｏｃａｌ  Ａｒｅａ  Ｎｅｔｗｏｒｋ）アダプタ（図示しない）を設けて、有線ＬＡＮでのネットワーク接続をしているが、接続方式はこれに限られず、送信部３１とサーバ６３は、互いにネットワーク６１で接続されていればよい。なお、有線ＬＡＮでネットワーク接続をする場合は、安定してネットワーク接続がなされるので、安定して配信データをサーバ６３に送信することができる。サーバ６３では、供給された配信データ、すなわち撮影された動画が視聴可能な状態で記憶される。このサーバ６３には、少なくともウェブサーバの機能と、ストリーミングサーバの機能とが備わっており、送信部３１から送信された配信データは、ネットワーク６１を介して複数のクライアント端末７１に対して配信され得る状態になる。なお、サーバ６３に記憶された配信データは、配信後に編集することや、削除することも可能である。このような編集や削除は、例えば、操作部８１における入力操作によって、制御部３５を介してサーバ６３に編集指示や削除指示をすることにより、行うことができる。
【００２６】
この一実施形態では、サーバの数・容量が膨大で、視聴者が多い場合でも安定して動画の視聴が可能なＹｏｕＴｕｂｅ（登録商標）などの動画配信サービスを利用して配信を行っている。ＹｏｕＴｕｂｅでは、限定公開という配信方法があり、ＵＲＬ（Ｕｎｉｆｏｒｍ  Ｒｅｓｏｕｒｃｅ Ｌｏｃａｔｏｒ）を知っている視聴者しか視聴できず、また、動画の検索もできないため、限られた範囲内でのみ視聴可能としたいときに、非常に有用である。視聴者は、ネットワーク６１を介して、クライアント端末７１で、視聴したい動画配信サービスのＵＲＬを指定して、配信された動画を視聴する。視聴者は、ＵＲＬのＱＲコード（登録商標）を読み込んで動画を視聴することも可能である。このＵＲＬは、操作部８１における入力操作によって、制御部３５を介してサーバ６３に指示し、制御部３５はサーバ６３から指定されたＵＲＬを取得する。視聴者へ、取得したＵＲＬのＱＲコードを予め印刷したものを配布するなどして、ネットワーク６１を介してアクセスしてもらい動画を視聴できるようにする。
【００２７】
送信先設定部３３は、配信データの送信先を設定する。送信先の設定は、送信部３１に対して行う。配信装置１１の操作者が、配信データを送信する送信先のサーバを決定すると、送信先が設定され、送信部３１はこの送信先を送信先設定部３３から取得する。送信先設定部３３では、配信データの配信日時の予約をすることも可能である。このような予約は、例えば、操作部８１における入力操作によって、制御部３５を介してサーバ６３に指示をすることにより、行うことができる。配信装置１１の操作者が、操作部８１で入力操作をして、制御部３５を介して送信部３１に配信データの送信開始の指示が出されると、送信部３１は、サーバ６３に配信データの送信を開始して、動画が視聴可能な状態となる。なお、この例では操作部８１をひとつとしているが、複数にしてもよい。例えば、送信先設定部３３と制御部３５と、第２モニタ４３とのそれぞれに操作部を設けて、各操作部において配信データの送信を開始してもよい。
【００２８】
制御部３５は、送信先から取得した配信データの配信状態を示す状態画像Ｇ２（図５参照）を生成する。送信部３１により配信データの送信が始まると、制御部３５は、ネットワーク６１を介して、送信先から配信状態を取得して、配信データの配信状態を示す状態画像Ｇ２を生成する。配信状態とは、具体的には、送信部３１による配信データの送信が正常に行われている状態か、エラーが起きている状態かのことである。制御部３５は、配信データの配信状態以外にも、サーバ６３に蓄積された配信データや送信先を取得して、過去に配信した動画の管理画像や動画配信の予約画像などの操作画像Ｇ３（図６参照）を併せて生成することが好ましく、本例ではそのようにしている。これにより、過去に配信した動画の削除・編集、配信予約などが行え、サーバ６３の情報も変更される。なお、本例においては、状態画像Ｇ２と操作画像Ｇ３は別個の画像として生成することとしているが、一体の画像として生成しても構わない。
【００２９】
この一実施形態では、送信先設定部３３と制御部３５とを、ひとつのコンピュータで構成しており、コンピュータにプログラムを実行させることにより、コンピュータをこれら各部として機能させている。これにより配信装置１１を小型化できるため、携帯性が高まるが、これに限られない。
【００３０】
第１モニタ４１は、撮影部１２で撮影された撮影画像Ｇａ（図４参照）を表示する。第１モニタ４１における表示画像Ｇ１については、別の図面を用いて後述する。
【００３１】
第２モニタ４３は、制御部３５により生成された送信先から取得した配信データの配信状態を示す状態画像Ｇ２（図５参照）と、状態画像Ｇ２の表示や配信データの管理、配信の予約などを行うための操作画像Ｇ３（図６参照）とを表示する。第２モニタ４３において表示される各画像については、別の図面を用いて後述する。
【００３２】
電源ユニット５１は、一般的なＡＣ１００Ｖ電源から電力の供給を受けて、撮影部１２と送信部３１と送信先設定部３３と制御部３５と第１モニタ４１と第２モニタ４３とに電力を供給する。撮影部１２は、第２ケーブル（図示無し）により収容部２１と接続され、収容部２１を介して電源ユニット５１から電力の供給を受ける。なお、電源ユニット５１から撮影部１２への電力供給は、電圧を変換する変換器９５を介して行われている。本例では撮影部１２としてビデオカメラを用いており、ビデオカメラのバッテリへの電力の供給は、１００Ｖ電源からの電力供給は過大であることが多いため、小さな電力に変換しなければならないからである。本例では、直流４８Ｖへ変換する変換器を用いており、これにより、比較的長い距離で撮影部１２に十分な電力を供給することができる。さらに、撮影部１２が降圧器９７を有することが好ましく、本例でもそのようにしている。これにより、配信装置１１の操作者が撮影部１２のバッテリの交換を行わなくても、撮影部１２は、一般的なＡＣ１００Ｖ電源から、撮影部１２の仕様に合った適切な電圧で、長時間、電力供給を受け続けることができるため、撮影部１２で連続した動画の撮影ができる。配信装置１１の操作者は、第１モニタ４１と、第２モニタ４３を見ながら、送信先設定部３３と制御部３５の操作に集中することができ、ひとりでも簡単に動画を撮影しながらストリーミング配信が行える。
【００３３】
リスニング機器８３としては、ヘッドホンとイヤホンとがあり、リスニング機器８３を２つにして、一方をヘッドホン、他方をイヤホンとしてもよい。両方を併用しない場合には、いずれも収容部に収容して、いずれか一方を使用する。リスニング機器８３は、制御部３５に接続され、制御部３５がサーバ６３から取得した配信データの音データをリスニング機器８３に出力する。これにより、配信装置１１の操作者は、配信データの音量や音質などの状態を確認しながら動画を配信することができる。なお、ヘッドホンの方がより安定して装着することができ作業に集中できるが、イヤホンでも問題はなく、ヘッドホンとイヤホンの両方を収容して、いずれか一方を使用してもよい。
【００３４】
図３において、収容部２１には、送信部３１と送信先設定部３３と制御部３５と第１モニタ４１と第２モニタ４３と電源ユニット５１とを収容している。収容部２１には、ケーブルが設けられており、このケーブルの一端はＡＣ１００Ｖ電源に接続され、このケーブルの他端に電源ユニット５１が接続され、電源ユニット５１を介して、送信部３１と送信先設定部３３と制御部３５と第１モニタ４１と第２モニタ４３とに電力を供給する（図２参照）。収容部２１は、これらを収容できれば、携帯に便利なように、なるべく小さい物が好ましい。
【００３５】
この一実施形態では、収容部本体２３の図３における左から順に、送信部３１と、送信先設定部３３と制御部３５とが一体となったコンピュータと、電源ユニット５１とを設けている。収容部本体２３の外側の図３における右側面には、撮影部１２で撮影した撮影画像Ｇａ（図４参照）を送信部３１及び第１モニタに出力するための第１ケーブル（本例では、ＨＤＭＩケーブル）の入力端子と、配信装置１１をネットワークに接続するための有線ＬＡＮのポートと、電源ユニット５１から撮影部１２への電力の供給のための第２ケーブルの接続端子などの差込口２３ａを設け、開状態とした蓋２５の内壁に各表示部が露呈した状態となるように、図３における左から順に、第１モニタ４１と第２モニタ４３とを設けている。
【００３６】
収容部本体２３と蓋２５とは、ヒンジ２７によって開閉自在に連結されて、収容部２１としている。ヒンジ２７は、図３の破線で示すように、収容部本体２３の図３における上端と蓋２５の図３における下端とを連結するように設けられている。本例では、ヒンジ２７を図３のように２つ設けているが、その数は２つに限らず、収容部２１を支持可能な数に適宜変更することができる。ヒンジ２７を回動の中心（支点）として蓋２５を開いて、収容部２１を開状態としたときに、その開き角度を鈍角に保持するような係止具を設けることが好ましい。本例では、収容部本体２３と蓋２５との図３における左右内側両端をそれぞれ接続するようにステンレス製のステー２１ａを設けているが、開状態が保持できればよく、これに限られない。蓋２５を閉めたときに、収容部２１を閉状態に保持する留め具２１ｂ（図１参照）を設けることが好ましい。これにより、開状態及び閉状態を保持できるようになる。さらに、収容部２１の携帯時に収容部２１内の各機材が動いてしまわないようにクッション材などで固定し、各機材の故障を防ぐことが好ましい。収容部２１は、蓋２５を閉じたときに、携帯しやすいように持ち手２１ｃ（図１参照）を備えていることが好ましい。
【００３７】
図４に示すように、第１モニタ４１は、撮影部１２で撮影された撮影画像Ｇａを表示する。第１モニタ４１には、複数の撮影部１２からの撮影画像Ｇａを表示させることが好ましく、この一実施形態では、４つの撮影画像Ｇａを表示できるようにしているが、数は特に限定されない。また、配信装置１１の操作者が配信する画像として選択した撮影画像Ｇｂを大きく表示させている。さらに、この一実施形態では、撮影部１２で撮影した動画以外の他の画像Ｇｃを送信部３１に入力させられるようにしている。具体的には、風景などの画像を送信部３１に入力すると、被写体が配信に適さない状況の場合、例えば、準備中や休憩中のような場合に、被写体の代わりに入力された風景画像を配信することができる。なお、撮影部１２から撮影画像Ｇａの画像データが送信部３１に供給（入力）されると、送信部３１はその画像データの取得に応答して、表示画像Ｇ１を生成し、第１モニタ４１に出力する。このようにして、撮影画像Ｇａが第１モニタ４１に表示される。
【００３８】
図５に示すように、第２モニタ４３は、制御部３５の制御の下、送信先から取得した配信データの配信状態を示す状態画像Ｇ２を表示する。ネットワーク接続が良好で、動画の配信が正常に行われている場合の状態画像Ｇ２には、接続状態が良好であることを示す例えば文字（文字列を含む）と、配信されている動画とが含まれる。ネットワーク接続が不安定で、動画の配信が正常に行われていない場合の状態画像Ｇ２には、接続状態が不安定であることを示す例えば文字（文字列を含む）と、動画が停止した状態の静止画像とが含まれる。
【００３９】
図６に示すように、第２モニタ４３は、状態画像Ｇ２（図５参照）を表示するための操作画像Ｇ３を表示する。操作画像Ｇ３上の「配信開始」が選択されると、その信号が制御部３５に送られ、制御部３５はその信号の取得に応答して、生成した状態画像Ｇ２を図５に示すように第２モニタ４３に出力する。このようにして、状態画像Ｇ２が第２モニタ４３に表示される。状態画像Ｇ２の表示のための操作以外にも、サーバ６３に蓄積された配信データや送信先を取得して、過去に配信した動画の管理操作や、動画配信の予約画像などの操作も行うことができるように、操作画像Ｇ３を生成してもよい。配信装置１１の操作者は、第２モニタ４３の画像上での操作で、送信先を設定する。第２モニタ４３がタッチパネルディスプレイであれば、このタッチパネルディスプレイを操作部８１として、画像上を操作者が指やスタイラスペンなどで押して選択操作すればよいし、操作部８１として例えばマウスを用いた場合には、マウスを動かして、選択操作してもよい。
【００４０】
上記構成によれば、収容部２１を安定した場所に設置して、電源と接続して、撮影したい場所を決めて撮影部１２を設置し、撮影部１２と送信部３１とを第１ケーブル９１で接続し、さらに、撮影部１２と電力ユニット５１とを第２ケーブルで接続することで、各機材の設置と接続が完了するため、複雑で高度な専門知識が必要ない。また、撮影部１２以外の機材が収容部２１に集約されているため、電源とネットワーク環境さえあれば、誰でも簡単に動画のストリーミング配信を行うことができる。さらに、撮影部１２と収容部２１との大きく２つの構成からなっているため、持ち運びが非常に簡単である。第１ケーブル９１と第２ケーブルとは、撮影部１２と共にバッグなどに収納することで、コンパクトにまとめることができる。
【００４１】
この一実施形態の配信装置１１によれば、寺院などにおいて行われる法要の様子を撮影してストリーミング配信し、遠隔地において各家庭にあるタブレット端末などの各種端末を用いて、配信された動画を視聴できる。
【符号の説明】
【００４２】
１１    配信装置
１２    撮影部
２１    収容部
３１    送信部
３３    送信先設定部
３５    制御部
４１    第１モニタ
４３    第２モニタ
５１    電源ユニット
８１    操作部
８３    リスニング機器
９１，９１ａ，９１ｂ    第１ケーブル
９３    ブースタ
９５    変換器
９７    降圧器
Ｇａ    撮影画像
Ｇ２    状態画像
【図１】
0003231758.tif 000003
【図２】
0003231758.tif 000004
【図３】
0003231758.tif 000005
【図４】
0003231758.tif 000006
【図５】
0003231758.tif 000007
【図６】
0003231758.tif 000008